(57)【特許請求の範囲】
【請求項１】
エレベーターの保守端末から受信した前記エレベーターの現在の点検状況の情報を記憶する提示側記憶部と、
情報を受信する提示側受信部と、
情報を送信する提示側送信部と、
携帯端末がエレベーターに設けられた識別装置から情報を取得し、当該携帯端末が当該情報に基づいて前記エレベーターの識別情報を送信し、前記提示側受信部が当該識別情報を受信した際に、前記提示側記憶部において記憶された情報から当該識別情報に対応した現在の点検状況の情報を抽出し、前記提示側送信部に対し、当該現在の点検状況の情報を当該携帯端末に向けて送信させる提示側制御部と、
を備えたエレベーターの情報提示システム。
【請求項２】
前記提示側受信部は、携帯端末が前記識別装置としてのビーコン装置から送信された電波から情報を取得し、当該携帯端末が当該情報に基づいて前記エレベーターの識別情報を送信した際に、当該識別情報を受信する請求項１に記載のエレベーターの情報提示システム。
【請求項３】
前記提示側受信部は、携帯端末が前記ビーコン装置から送信された電波を受信した際に自動でアプリケーションが起動し、当該携帯端末が当該アプリケーションにおいて当該情報に基づいて前記エレベーターの識別情報を送信した際に、当該識別情報を受信する請求項２に記載のエレベーターの情報提示システム。
【請求項４】
前記提示側受信部は、携帯端末が前記識別装置としての識別体から情報を読み込んで取得し、当該携帯端末が当該情報に基づいて前記エレベーターの識別情報を送信した際に、当該識別情報を受信する請求項１に記載のエレベーターの情報提示システム。
【請求項５】
前記提示側制御部は、携帯端末がエレベーターの乗場に設けられた識別装置から情報を取得し、当該携帯端末が当該情報に基づいて前記エレベーターの乗場の識別情報を送信し、前記提示側受信部が当該識別情報を受信した際に、前記提示側記憶部において記憶された情報から当該識別情報に対応した乗場の現在の点検状況の情報を抽出し、前記提示側送信部に対し、当該乗場の現在の点検状況の情報を当該携帯端末に向けて送信させる請求項１から請求項４のいずれか一項に記載のエレベーターの情報提示システム。
【請求項６】
情報を受信する端末側受信部と、
情報を送信する端末側送信部と、
情報を記憶する端末側記憶部と、
前記端末側受信部が請求項１から請求項５のいずれか一項に記載の識別装置から情報を受信した際に、前記端末側送信部に対し、当該情報に基づいて前記エレベーターの識別情報を送信させ、請求項１から請求項５のいずれか一項に記載の情報提示システムが当該識別情報に対応した現在の点検状況の情報を送信し、前記端末側受信部が当該現在の点検状況の情報を受信した際に、当該現在の点検状況の情報を前記端末側記憶部に記憶させる端末側制御部と、
を備えた携帯端末。
【請求項７】
情報を表示する端末側表示部、
を備え、
前記端末側制御部は、前記端末側受信部が当該現在の点検状況の情報を受信した際に、前記端末側表示部に対し、当該現在の点検状況の情報を表示させる請求項６に記載の携帯端末。
【発明の詳細な説明】
【技術分野】
【０００１】
この発明は、エレベーターの点検状況の情報を情報提示システムおよび携帯端末に関する。
【背景技術】
【０００２】
特許文献１は、エレベーターの保守管理装置を開示する。当該保守管理装置によれば、エレベーターのかごに閉じ込められた利用者の不安感を低減し得る。
【先行技術文献】
【特許文献】
【０００３】
【特許文献１】日本特開２０１６−１６９１００号公報
【発明の概要】
【発明が解決しようとする課題】
【０００４】
しかしながら、特許文献１に記載の保守管理装置においては、かごに閉じ込められた利用者に向けて、情報が表示される。このため、エレベーターの点検時において、エレベーターの利用者に対して適切な情報を提供することはできない。【０００５】
この発明は、上述の課題を解決するためになされた。この発明の目的は、エレベーターの点検時において、利用者に対して適切な情報を提示することができるエレベーターの情報提示システムおよび携帯端末を提供することである。
【課題を解決するための手段】
【０００６】
この発明に係るエレベーターの情報提示システムは、エレベーターの保守端末から受信した前記エレベーターの現在の点検状況の情報を記憶する提示側記憶部と、情報を受信する提示側受信部と、情報を送信する提示側送信部と、携帯端末がエレベーターに設けられた識別装置から情報を取得し、当該携帯端末が当該情報に基づいて前記エレベーターの識別情報を送信し、前記提示側受信部が当該識別情報を受信した際に、前記提示側記憶部において記憶された情報から当該識別情報に対応した現在の点検状況の情報を抽出し、前記提示側送信部に対し、当該現在の点検状況の情報を当該携帯端末に向けて送信させる提示側制御部と、を備えた。
【０００７】
この発明に係るエレベーターの携帯端末は、情報を受信する端末側受信部と、情報を送信する端末側送信部と、情報を記憶する端末側記憶部と、前記端末側受信部が識別装置から情報を取得した際に、前記端末側送信部に対し、当該情報に基づいて前記エレベーターの識別情報を送信させ、前記情報提示システムが当該識別情報に対応した現在の点検状況の情報を送信し、前記端末側受信部が当該現在の点検状況の情報を受信した際に、当該現在の点検状況の情報を前記端末側記憶部に記憶させる端末側制御部と、を備えた。
【発明の効果】
【０００８】
これらの発明によれば、情報提示システムは、携帯端末に対してエレベーターの点検状況の情報を送信する。このため、エレベーターの点検時において、利用者に対して適切な情報を提示することができる。
【図面の簡単な説明】
【０００９】
【図１】実施の形態１におけるエレベーターの情報提示システムが適用されるエレベーターシステムの構成図である。
【図２】実施の形態１におけるエレベーターの情報提示システムが適用される情報提示装置と携帯端末とのブロック図である。
【図３】実施の形態１におけるエレベーターの情報提示システムが適用される情報提示装置がエレベーターの点検状況を把握する際の動作の概要を説明するためのフローチャートである。
【図４】実施の形態１におけるエレベーターの情報提示システムが適用される情報提示装置が適用される携帯端末がエレベーターの点検状況を把握する際の動作を説明するためのフローチャートである。
【図５】実施の形態１におけるエレベーターの情報提示システムが適用される情報提示装置のハードウェア構成図である。
【図６】実施の形態１におけるエレベーターの情報提示システムが適用される携帯端末がエレベーターの点検状況を把握する際の動作を説明するためのフローチャートである。
【発明を実施するための形態】
【００１０】
この発明を実施するための形態について添付の図面に従って説明する。なお、各図中、同一または相当する部分には同一の符号が付される。当該部分の重複説明は適宜に簡略化ないし省略される。
【００１１】
実施の形態１．
図１は実施の形態１におけるエレベーターの情報提示システムが適用されるエレベーターシステムの構成図である。
【００１２】
図１のエレベーターシステムにおいて、昇降路１は、図示されない建築物の各階を貫く。機械室２は、昇降路１の直上に設けられる。複数の乗場３の各々は、建築物の各階に設けられる。複数の乗場３の各々は、昇降路１に対向する。
【００１３】
巻上機４は、機械室２に設けられる。巻上機４は、図示されないブレーキ等を備える。主ロープ５は、巻上機４に巻き掛けられる。
【００１４】
かご６は、昇降路１の内部に設けられる。かご６は、主ロープ５の一側に支持される。釣合おもり７は、昇降路１の内部に設けられる。釣合おもり７は、主ロープ５の他側に支持される。
【００１５】
複数の乗場ドア８の各々は、複数の乗場３の各々の出入口に設けられる。かごドア９は、かご６の出入口に設けられる。
【００１６】
複数の識別装置１０の各々は、複数の乗場３の各々の壁面に設けられる。例えば、複数の識別装置１０の各々は、ビーコン装置である。識別装置１０は、予め設定された範囲に建築物の識別情報、エレベーターの識別情報、当該識別装置１０の設置階情報等を含む電波を発信する。
【００１７】
例えば、制御装置１１は、機械室２に設けられる。制御装置１１は、エレベーターを全体的に制御し得るように設けられる。
【００１８】
例えば、監視装置１２は、機械室２に設けられる。監視装置１２は、制御装置１１等からの情報に基づいてエレベーターの状態を監視し得るように設けられる。
【００１９】
例えば、情報提示装置１３は、エレベーターが設けられた建築物とは異なる建築物に設けられる。例えば、情報提示装置１３は、エレベーターの保守会社に設けられる。情報提示装置１３と監視装置１２とは、通信ネットワーク２０を介して無線通信または有線通信により互いに情報を送受信し得るように設けられる。通信ネットワーク２０は、例えば、インターネット通信網であってもよいし、ＬＴＥ回線網であってもよいし、電話回線網であってもよい。
【００２０】
例えば、遠隔監視センター装置１４は、エレベーターが設けられた建築物とは異なる建築物に設けられる。例えば、遠隔監視センター装置１４は、エレベーターの保守会社に設けられる。遠隔監視センター装置１４は、監視装置１２から通信ネットワーク２０を介して無線通信または有線通信によりエレベーターの運行状態の情報を受信し得るように設けられる。
【００２１】
基地局１５は、建築物とは離れた個所に設けられる。
【００２２】
携帯端末１６は、利用者に所持される。例えば、携帯端末１６は、スマートフォンである。利用者は、携帯端末１６を利用してエレベーターの呼びを手動または自動で要求することができる。携帯端末１６を利用した呼び登録を行うためには、携帯端末１６に、特定の呼び登録システムアプリケーションが予めインストールされている必要がある。例えば、利用者は、エレベーターの管理を行う保守会社のホームページに携帯端末１６からアクセスすることにより、携帯端末１６に呼び登録システムアプリケーションをダウンロードおよびインストールを行うことができる。以下の説明においては、呼び登録システムアプリケーションは、単に「アプリケーション」と表記される。
【００２３】
保守端末１７は、エレベーターの保守員に所持される。保守端末１７は、エレベーターの点検時において作業員の操作に応じて監視装置１２および情報提示装置１３との間でエレベーターの点検に必要な情報を送受信し得るように設けられる。
【００２４】
エレベーターの運転モードが通常モードである場合、携帯端末１６は、識別装置１０からの電波を受信した際にアプリケーションにおいて予め設定されたエレベーターと乗車階と携帯端末１６とを特定するための特定情報を自動で送信する。
【００２５】
情報提示装置１３は、基地局１５を介して当該特定情報を受信する。情報提示装置１３は、当該特定情報に基づいて当該携帯端末１６に対応付けられた目的階を特定する。情報提示装置１３は、当該乗車階と当該目的階との情報を含む呼び登録要求情報を当該エレベーターに向けて送信する。
【００２６】
当該エレベーターにおいて、監視装置１２は、情報提示装置１３から呼び登録要求情報を受信する。監視装置１２は、当該呼び登録要求情報に基づいて乗場呼びとかご呼びとの要求を把握する。監視装置１２は、当該呼び登録要求情報に基づいて当該乗車階に対応した乗場呼びの登録要求を制御装置１１に向けて送信する。制御装置１１は、当該乗場呼びにかご６を応答させる。かご６が当該乗車階に到着すると、監視装置１２は、当該呼び登録要求情報に基づいて当該目的階に対応したかご呼びの登録要求を制御装置１１に向けて送信する。制御装置１１は、当該かご呼びにかご６を応答させる。
【００２７】
エレベーターの運転モードが点検モードである場合、情報提示装置１３は、エレベーターの点検状況の情報を受信する。例えば、情報提示装置１３は、監視装置１２からエレベーターの点検状況の情報を受信する。例えば、情報提示装置１３は、保守端末１７からエレベーターの点検状況の情報を受信する。
【００２８】
エレベーターの運転モードが点検モードである場合、携帯端末１６は、識別装置１０からの電波を受信する。携帯端末１６は、アプリケーションにおいて当該電波から情報を取得する。携帯端末１６は、当該情報に基づいて当該エレベーターの識別情報等を自動で送信する。
【００２９】
情報提示装置１３は、基地局１５を介して携帯端末１６から当該エレベーターの識別情報等を受信する。情報提示装置１３は、基地局１５を介して当該識別情報に対応した点検状況の情報を当該携帯端末１６に向けて送信する。
【００３０】
当該携帯端末１６は、基地局１５を介して当該点検状況の情報を受信する。当該携帯端末１６は、当該点検状況の情報を表示する。
【００３１】
次に、図２を用いて、情報提示装置と携帯端末とを説明する。
図２は実施の形態１におけるエレベーターの情報提示システムが適用される情報提示装置と携帯端末とのブロック図である。
【００３２】
図２に示されるように、情報提示装置１３は、提示側記憶部１３ａと提示側受信部１３ｂと提示側送信部１３ｃと提示側制御部１３ｄとを備える。
【００３３】
提示側記憶部１３ａは、エレベーターの点検状況の情報を記憶し得るように設けられる。提示側受信部１３ｂは、携帯端末１６からの情報を受信し得るように設けられる。提示側送信部１３ｃは、携帯端末１６に向けて情報を送信し得るように設けられる。提示側制御部１３ｄは、情報提示装置１３の動作を全体的に制御し得るように設けられる。
【００３４】
例えば、エレベーターの運転モードが点検モードである場合において、提示側受信部１３ｂは、携帯端末１６からエレベーターの識別情報等を受信する。この際、提示側制御部１３ｄは、提示側記憶部１３ａにおいて記憶された情報から当該識別情報に対応した点検状況の情報を抽出する。その後、提示側制御部１３ｄは、提示側送信部１３ｃに対し、当該点検状況の情報を当該携帯端末１６に向けて送信させる。
【００３５】
携帯端末１６は、端末側受信部１６ａと端末側送信部１６ｂと端末側記憶部１６ｃと端末側表示部１６ｄと端末側制御部１６ｅとを備える。
【００３６】
端末側受信部１６ａは、情報提示装置１３からの情報を受信し得るように設けられる。端末側送信部１６ｂは、情報提示装置１３に向けて情報を送信し得るように設けられる。端末側記憶部１６ｃは、情報を記憶し得るように設けられる。端末側表示部１６ｄは、情報を表示し得るように設けられる。端末側制御部１６ｅは、携帯端末１６の動作を全体的に制御し得るように設けられる。
【００３７】
例えば、エレベーターの運転モードが点検モードである場合において、端末側受信部１６ａは、エレベーターの乗場において識別装置１０から送信された電波から情報を取得する。この際、端末側制御部１６ｅは、端末側送信部１６ｂに対し、当該情報に基づいて当該エレベーターの識別情報等を送信させる。その後、端末側受信部１６ａは、情報提示装置１３から当該エレベーターの点検状況の情報を受信する。この際、端末側制御部１６ｅは、当該点検状況の情報を端末側記憶部１６ｃに記憶させる。端末側制御部１６ｅは、当該点検状況の情報を端末側表示部１６ｄに表示させる。
【００３８】
次に、図３を用いて、情報提示装置１３がエレベーターの点検状況を把握する際の動作の概要を説明する。
図３は実施の形態１におけるエレベーターの情報提示システムが適用される情報提示装置がエレベーターの点検状況を把握する際の動作の概要を説明するためのフローチャートである。
【００３９】
ステップＳ１では、情報提示装置１３は、監視装置１２または保守端末１７からの情報に基づいてエレベーターの点検の開始を検出する。その後、情報提示装置１３は、ステップＳ２の動作を行う。ステップＳ２では、情報提示装置１３は、点検作業の実施を検出する。その後、監視装置１２は、ステップＳ３の動作を行う。ステップＳ３では、情報提示装置１３は、エレベーターにおいて当該作業の終了の自動判定が可能であるか否かを判定する。自動判定が可能である場合、エレベーターは、監視装置１２を介して情報提示装置１３に作業終了の情報を送信する。
【００４０】
ステップＳ３で当該作業の終了の自動判定が可能である場合、情報提示装置１３は、ステップＳ４の動作を行う。ステップＳ４では、情報提示装置１３は、監視装置１２からの情報に基づいて当該作業が終了したことを検出する。
【００４１】
ステップＳ３で当該作業の終了の自動判定が可能でない場合、情報提示装置１３は、ステップＳ５の動作を行う。ステップＳ５では、情報提示装置１３は、保守端末１７からの情報に基づいて当該作業が終了したことを検出する。
【００４２】
ステップＳ４またはステップＳ５の後、情報提示装置１３は、ステップＳ６の動作を行う。ステップＳ６では、情報提示装置１３は、全ての作業が終了したか否かを判定する。ステップＳ６でいずれかの作業が終了していない場合、情報提示装置１３は、ステップＳ２の動作を行う。ステップＳ６で全ての作業が終了した場合、情報提示装置１３は、動作を終了する。
【００４３】
次に、図４を用いて、携帯端末１６がエレベーターの点検状況を把握する際の動作の概要を説明する。
図４は実施の形態１におけるエレベーターの情報提示システムが適用される携帯端末がエレベーターの点検状況を把握する際の動作を説明するためのフローチャートである。
【００４４】
ステップＳ１１では、携帯端末１６は、アプリケーションのインストールを受け付ける。その後、携帯端末１６は、ステップＳ１２の動作を行う。ステップＳ１２では、携帯端末１６は、エレベーターの乗場３において識別装置１０から電波を受信する。
【００４５】
その後、携帯端末１６は、ステップＳ１３の動作を行う。ステップＳ１３では、携帯端末１６は、アプリケーションを自動で起動する。その後、携帯端末１６は、ステップＳ１４の動作を行う。ステップＳ１４では、携帯端末１６は、識別装置１０からの電波で取得した建物の識別情報とエレベーターの識別情報とを情報提示装置１３に送信する。
【００４６】
その後、ステップＳ１５の動作を行う。ステップＳ１５では、携帯端末１６は、情報提示装置１３から当該エレベーターの点検状況の情報を受信する。その後、携帯端末１６は、ステップＳ１６の動作を行う。ステップＳ１６では、携帯端末１６は、当該点検状況の情報を表示する。その後、携帯端末１６は、動作を終了する。
【００４７】
以上で説明した実施の形態１によれば、情報提示装置１３は、携帯端末１６に対してエレベーターの点検状況の情報を送信する。このため、エレベーターの点検時において、利用者に対して適切な情報を提示することができる。
【００４８】
具体的には、携帯端末１６は、ビーコン装置から送信された電波を受信した際に、情報提示装置１３からエレベーターの点検状況の情報を取得する。このため、利用者が利用を希望するエレベーターに近づいた時点で当該エレベーターの点検情報を適切に提示することができる。
【００４９】
また、携帯端末１６は、ビーコン装置から送信された電波を受信した際に自動でアプリケーションを起動し、当該アプリケーションにおいて情報提示装置１３からエレベーターの点検状況の情報を自動で取得する。このため、利用者に対して特別な操作を要求することなく、エレベーターの点検状況の情報を提示することができる。
【００５０】
また、携帯端末１６は、エレベーターの点検状況の情報を表示する。このため、利用者に対して、エレベーターの点検状況の情報を確実に提示することができる。
【００５１】
なお、携帯端末１６は、ビーコン装置から送信された電波を受信した際に自動でアプリケーションを起動しなくてもよい。この際、アプリケーションが起動していない状態においては、携帯端末１６が識別情報を送信しない設定とすればよい。この場合、利用者がエレベーターの点検状況の情報の提示を希望する際に携帯端末１６を操作してアプリケーションを起動させれば、当該点検情報の状況の提示を受けることができる。
【００５２】
次に、図５を用いて、情報提示装置１３の例を説明する。
図５は実施の形態１におけるエレベーターの情報提示システムが適用される情報提示装置のハードウェア構成図である。
【００５３】
情報提示装置１３の各機能は、処理回路により実現し得る。例えば、処理回路は、少なくとも１つのプロセッサ１００ａと少なくとも１つのメモリ１００ｂとを備える。例えば、処理回路は、少なくとも１つの専用のハードウェア２００を備える。
【００５４】
処理回路が少なくとも１つのプロセッサ１００ａと少なくとも１つのメモリ１００ｂとを備える場合、情報提示装置１３の各機能は、ソフトウェア、ファームウェア、またはソフトウェアとファームウェアとの組み合わせで実現される。ソフトウェアおよびファームウェアの少なくとも一方は、プログラムとして記述される。ソフトウェアおよびファームウェアの少なくとも一方は、少なくとも１つのメモリ１００ｂに格納される。少なくとも１つのプロセッサ１００ａは、少なくとも１つのメモリ１００ｂに記憶されたプログラムを読み出して実行することにより、情報提示装置１３の各機能を実現する。少なくとも１つのプロセッサ１００ａは、中央処理装置、処理装置、演算装置、マイクロプロセッサ、マイクロコンピュータ、ＤＳＰともいう。例えば、少なくとも１つのメモリ１００ｂは、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等である。
【００５５】
処理回路が少なくとも１つの専用のハードウェア２００を備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。例えば、情報提示装置１３の各機能は、それぞれ処理回路で実現される。例えば、情報提示装置１３の各機能は、まとめて処理回路で実現される。
【００５６】
情報提示装置１３の各機能について、一部を専用のハードウェア２００で実現し、他部をソフトウェアまたはファームウェアで実現してもよい。例えば、制御部の機能については専用のハードウェア２００としての処理回路で実現し、制御部の機能以外の機能については少なくとも１つのプロセッサ１００ａが少なくとも１つのメモリ１００ｂに格納されたプログラムを読み出して実行することにより実現してもよい。
【００５７】
このように、処理回路は、ハードウェア２００、ソフトウェア、ファームウェア、またはこれらの組み合わせで情報提示装置１３の各機能を実現する。
【００５８】
図示されないが、制御装置１１の各機能も、情報提示装置１３の各機能を実現する処理回路と同等の処理回路で実現される。監視装置１２の各機能も、情報提示装置１３の各機能を実現する処理回路と同等の処理回路で実現される。遠隔監視センター装置１４の各機能も、情報提示装置１３の各機能を実現する処理回路と同等の処理回路で実現される。
【００５９】
実施の形態２．
図６は実施の形態１におけるエレベーターの情報提示システムが適用される情報提示装置が適用される携帯端末がエレベーターの点検状況を把握する際の動作を説明するためのフローチャートである。なお、実施の形態１の部分と同一又は相当部分には同一符号が付される。当該部分の説明は省略される。
【００６０】
実施の形態２において、図示されないが、複数の識別装置１０の各々は、二次元バーコード等の識別体である。
【００６１】
携帯端末１６は、識別体から情報を読み込むことで当該情報を受信し、当該エレベーターの点検状況の情報を取得し得る。
【００６２】
具体的には、ステップＳ２１では、携帯端末１６は、カメラにより識別体から建物の識別情報とエレベーターの識別情報とを読み込む。その後、携帯端末１６は、ステップＳ２２の動作を行う。ステップＳ２２では、携帯端末１６は、当該建物の識別情報と当該エレベーターの識別情報とから特定されるウェブサイトにアクセスする。
【００６３】
その後、携帯端末１６は、ステップＳ２３の動作を行う。ステップＳ２３では、携帯端末１６は、当該ウェブサイトから当該エレベーターの点検状況の情報を受信する。その後、携帯端末１６は、ステップＳ２４の動作を行う。ステップＳ２４では、携帯端末１６は、当該エレベーターの点検状況の情報を表示する。その後、携帯端末１６は、動作を終了する。
【００６４】
以上で説明した実施の形態２によれば、携帯端末１６は、識別体から特定されるウェブサイトにアクセスすることで、情報提示装置１３からエレベーターの点検状況の情報を取得する。このため、利用者が利用を希望するエレベーターに近づいた時点で当該エレベーターの点検情報を適切に提示することができる。
【００６５】
なお、エレベーターの点検状況として、点検の進捗状況または点検の終了予定時刻を提示してもよい。この場合、利用者に対し、エレベーターの点検が終了するまで待つか否か、階段を使って移動する否か等を判断する際の材料を提示することができる。
【００６６】
また、識別装置１０からの情報により乗場を識別し、当該乗場の点検状況の情報を提示してもよい。例えば、当該乗場において乗場ドア８が開くことがある旨を提示してもよい。この場合、エレベーターの点検時において、利用者に対してより適切な情報を提示することができる。
【００６７】
なお、機械室２がなくて巻上機４と制御装置１１とが昇降路１の下部または上部に設けられているエレベーターに実施の形態１または実施の形態２の情報提示装置１３を適用してもよい。この場合も、エレベーターの点検時において、利用者に対して適切な情報を提示することができる。
【００６８】
また、実施の形態１および実施の形態２において、提示側記憶部１３ａと提示側受信部１３ｂと提示側送信部１３ｃと提示側制御部１３ｄとのうちの少なくとも一つの機能を情報提示装置１３とは異なる装置に設けてもよい。例えば、提示側記憶部１３ａと提示側受信部１３ｂと提示側送信部１３ｃと提示側制御部１３ｄとの機能の全てを遠隔監視センター装置１４に設けてもよい。この場合も、エレベーターの点検時において、利用者に対して適切な情報を提示することができる。
【００６９】
また、実施の形態１および実施の形態２において、情報提示装置１３は、エレベーターの点検が終了した際、当該エレベーターの点検状況の情報を提示した携帯端末１６に対応した呼び登録要求情報を当該エレベーターに向けて自動で送信してもよい。この場合、利用者に対して特別な操作を要求することなく、エレベーターの点検の終了後、当該利用者に当該エレベーターを利用させることができる。
【産業上の利用可能性】
【００７０】
以上のように、この発明に係るエレベーターの情報提示システムは、エレベーターシステムに利用できる。
【符号の説明】
【００７１】
１  昇降路、  ２  機械室、  ３  乗場、  ４  巻上機、  ５  主ロープ、  ６  かご、  ７  釣合おもり、  ８  乗場ドア、  ９  かごドア、  １０  識別装置、  １１  制御装置、  １２  監視装置、  １３  情報提示装置、  １３ａ  提示側記憶部、  １３ｂ  提示側受信部、  １３ｃ  提示側送信部、  １３ｄ  提示側制御部、  １４  遠隔監視センター装置、  １５  基地局、  １６  携帯端末、  １６ａ  端末側受信部、  １６ｂ  端末側送信部、  １６ｃ  端末側記憶部、  １６ｄ  端末側表示部、  １６ｅ  端末側制御部、  １７  保守端末、  ２０  通信ネットワーク、  １００ａ  プロセッサ、  １００ｂ  メモリ、  ２００  ハードウェア
【要約】
エレベーターの点検時において、利用者に対して適切な情報を提示することができるエレベーターの保守作業支援システムを提供する。エレベーターの点検状況の情報を記憶する提示側記憶部と、情報を受信する提示側受信部と、情報を送信する提示側送信部と、携帯端末がエレベーターに設けられた識別装置から情報を取得し、当該携帯端末が当該情報に基づいて前記エレベーターの識別情報を送信し、前記提示側受信部が当該識別情報を受信した際に、前記提示側記憶部において記憶された情報から当該識別情報に対応した点検状況の情報を抽出し、前記提示側送信部に対し、当該点検状況の情報を当該携帯端末に向けて送信させる提示側制御部と、を備えた。【図１】
0006690797.tif 000002
【図２】
0006690797.tif 000003
【図３】
0006690797.tif 000004
【図４】
0006690797.tif 000005
【図５】
0006690797.tif 000006
【図６】
0006690797.tif 000007